(57)【要約】 【課題】  画像合成の機能を高くする。画像利用態様を広くする。画像再利用バラエティを広げる。【解決手段】  画像読み取り１，２；蓄積記憶６；一時記憶８；画像加工，合成する画像処理手段４，５；それらを接続するバス制御３；ユーザ指定，入力に応じて、合成に用いる複数画像の各出所を、画像読み取り又は蓄積記憶に定め、出所情報を用いた入力制御情報を生成する手段１１，７；および、入力制御情報に基づき各出所から画像データを出力し、一時記憶しかつＬＣＤに表示するとともに、ユーザの加工又は合成指示に応じてバス制御手段および画像処理手段を用いて画像データを加工又は合成し一時記憶する画像処理を、入力制御情報に基づき、各出所に対して順次に行い、ユーザの合成指示に応じて複数出所からの前記画像処理した画像データを、バス制御および画像処理手段を用いて合成する、合成制御手段７；を備える。【選択図】  図８
2008154134.tif 000002
【特許請求の範囲】
【請求項１】
原稿を読み取り電子化した画像データを得る画像読み取り手段；
画像データを蓄積する蓄積記憶手段；
画像データを一時記憶する一時記憶手段；
画像を加工又は合成する画像処理手段；
上記各手段間を接続するバス制御手段；
ユーザの、画像の合成を指定する入力に応答して、合成に用いる複数画像の各出所を、指定に応じて前記画像読み取り手段又は前記蓄積記憶手段に定め、定めた出所情報を用いた前記複数画像の入力制御情報を生成する手段；および、
前記入力制御情報に基づいて前記出所から画像データを出力し、前記バス制御手段を介して前記一時記憶手段に記憶しかつディスプレイに表示するとともに、ユーザの加工又は合成指示に応じて前記バス制御手段および前記画像処理手段を用いて画像データを加工又は合成して前記一時記憶手段に記憶する画像処理を、前記入力制御情報に基づいて、前記複数画像の各出所に対して順次に行い、ユーザの合成指示に応じて複数出所からの前記画像処理した画像データを、前記バス制御手段および前記画像処理手段を用いて合成する、合成制御手段；
を備える画像合成装置。
【請求項２】
原稿を読み取り電子化した画像データを得る画像読み取り手段；
通信を介して書画情報処理するコンピュータから画像データを入手する通信手段；
画像データを蓄積する蓄積記憶手段；
画像データを一時記憶する一時記憶手段；
画像を加工又は合成する画像処理手段；
上記各手段間を接続するバス制御手段；
ユーザの、画像の合成を指定する入力に応答して、合成に用いる複数画像の各出所を、指定に応じて前記画像読み取り手段，前記コンピュータ又は前記蓄積記憶手段に定め、定めた出所情報を用いた前記複数画像の入力制御情報を生成する手段；および、
前記入力制御情報に基づいて前記出所から画像データを出力し、前記バス制御手段を介して前記一時記憶手段に記憶しかつディスプレイに表示するとともに、ユーザの加工又は合成指示に応じて前記バス制御手段および前記画像処理手段を用いて画像データを加工又は合成して前記一時記憶手段に記憶する画像処理を、前記入力制御情報に基づいて、前記複数画像の各出所に対して順次に行い、ユーザの合成指示に応じて複数出所からの前記画像処理した画像データを、前記バス制御手段および前記画像処理手段を用いて合成する、合成制御手段；
を備える画像合成装置。
【請求項３】
原稿を読み取り電子化した画像データを得る画像読み取り手段；
外部記憶媒体の画像データを読み込む手段；
画像データを蓄積する蓄積記憶手段；
画像データを一時記憶する一時記憶手段；
画像を加工又は合成する画像処理手段；
上記各手段間を接続するバス制御手段；
ユーザの、画像の合成を指定する入力に応答して、合成に用いる複数画像の各出所を、指定に応じて前記画像読み取り手段，前記外部記憶媒体又は前記蓄積記憶手段に定め、定めた出所情報を用いた前記複数画像の入力制御情報を生成する手段；および、
前記入力制御情報に基づいて前記出所から画像データを出力し、前記バス制御手段を介して前記一時記憶手段に記憶しかつディスプレイに表示するとともに、ユーザの加工又は合成指示に応じて前記バス制御手段および前記画像処理手段を用いて画像データを加工又は合成して前記一時記憶手段に記憶する画像処理を、前記入力制御情報に基づいて、前記複数画像の各出所に対して順次に行い、ユーザの合成指示に応じて複数出所からの前記画像処理した画像データを、前記バス制御手段および前記画像処理手段を用いて合成する、合成制御手段；
を備える画像合成装置。
【請求項４】
原稿を読み取り電子化した画像データを得る画像読み取り手段；
通信を介して書画情報処理するコンピュータから画像データを入手する通信手段；
外部記憶媒体(18)の画像データを読み込む手段；
画像データを蓄積する蓄積記憶手段；
画像データを一時記憶する一時記憶手段；
画像を加工又は合成する画像処理手段；
上記各手段間を接続するバス制御手段；
ユーザの、画像の合成を指定する入力に応答して、合成に用いる複数画像の各出所を、指定に応じて前記画像読み取り手段，前記コンピュータ，前記外部記憶媒体又は前記蓄積記憶手段に定め、定めた出所情報を用いた前記複数画像の入力制御情報(合成制御テーブル)を生成する手段；および、
前記入力制御情報に基づいて前記出所から画像データを出力し、前記バス制御手段を介して前記一時記憶手段に記憶しかつディスプレイに表示するとともに、ユーザの加工又は合成指示に応じて前記バス制御手段および前記画像処理手段を用いて画像データを加工又は合成して前記一時記憶手段に記憶する画像処理を、前記入力制御情報に基づいて、前記複数画像の各出所に対して順次に行い、ユーザの合成指示に応じて複数出所からの前記画像処理した画像データを、前記バス制御手段および前記画像処理手段を用いて合成する、合成制御手段；
を備える画像合成装置。
【請求項５】
前記合成制御手段は、複数出所からの前記画像処理した画像データの合成画像データを、ユーザの加工又は合成指示に応じて前記バス制御手段および前記画像処理手段を用いて加工又は合成の処理をする；請求項１乃至４のいずれか１つに記載の画像合成装置。
【請求項６】
前記入力制御情報を生成する手段は、ユーザの、画像集成のための台紙領域の分割に対応して各分割領域に前記各出所を宛てる；請求項１乃至５のいずれか１つに記載の画像合成装置。
【請求項７】
前記加工は、拡大／縮小，トリミング，移動，マスク，領域コピー，不透明貼付け又は透明貼付け、を含む；請求項１乃至６のいずれか１つに記載の画像合成装置。
【請求項８】
画像データが表す画像を用紙上に形成する作像手段；および、
請求項１乃至７のいずれか１つに記載の画像合成装置；を備え、
該画像合成装置の前記画像処理手段が、画像データの加工，合成処理を行う加工，合成手段、および、前記複数出所からの前記画像処理した画像データを合成した画像データを、前記作像手段による画像形成に適合する作像用の画像データに変換する画像データ変換手段、を含む；画像形成装置。
【請求項９】
前記画像データ変換手段は、拡大／縮小機能を含む；請求項８に記載の画像形成装置。
【請求項１０】
前記合成制御手段はユーザの指示に応じて、第１出所から得た画像を前記画像データ変換手段を用いて縮小し、第２出所から得た画像を前記画像データ変換手段を用いて縮小して、第１出所からの画像の縮小画像と集約してから、前記加工，合成手段を用いて集約画像に第３出所から得る画像を合成する；請求項９に記載の画像形成装置。
【請求項１１】
前記合成制御手段はユーザの指示に応じて、第１出所から得た画像の枠領域を前記加工，合成手段を用いて消去してから縮小し、第２出所から得た画像データの枠領域を前記加工，合成手段を用いて消去してから縮小する；請求項１０に記載の画像形成装置。
【請求項１２】
前記合成制御手段はユーザの指示に応じて、前記加工，合成手段を用いて第１出所から得た画像に第２出所から得た画像を合成し得た第１合成画像を前記画像データ変換手段を用いて縮小し、前前記加工，合成手段を用いて第３出所から得た画像に第４出所から得た画像を合成し得た第２合成画像を前記画像データ変換手段を用いて縮小し、前記加工，合成手段を用いて第１合成画像に第２合成画像を集成する；請求項９に記載の画像形成装置。
【請求項１３】
前記合成制御手段はユーザの指示に応じて、第１出所から得た画像の枠領域を前記加工，合成手段を用いて消去してからそれに第２出所から得た画像を合成し、第３出所から得た画像の枠領域を前記加工，合成手段を用いて消去してからそれに第４出所から得た画像を合成する；請求項１２に記載の画像形成装置。
【請求項１４】
前記合成制御手段はユーザの指示に応じて、第１出所から得た画像を前記画像データ変換手段を用いて縮小し、前記前記加工，合成手段を用いて枠領域を加えて該枠領域に第２出所から得た画像を合成する；請求項９に記載の画像形成装置。
【請求項１５】
前記合成制御手段(7)はユーザの指示に応じて、第１出所から得た画像を前記画像データ変換手段を用いて縮小し、第２出所から得た画像を前記画像データ変換手段を用いて縮小して、前記加工，合成手段を用いて第１出所からの画像の縮小画像と集約してから、前記加工，合成手段を用いて集約画像に第３出所から得る画像を合成し、前記加工，合成手段を用いて合成画像を移動して綴じ代を開ける；請求項９に記載の画像形成装置。
【請求項１６】
前記合成制御手段はユーザの指示に応じて、前記加工，合成手段を用いて第１出所から得た画像に第２出所から得た画像を合成し一部をマスクし、得た第１合成画像を前記画像データ変換手段を用いて縮小し、前前記加工，合成手段を用いて第３出所から得た画像に第４出所から得た画像を合成し一部をマスクし、得た第２合成画像を前記画像データ変換手段を用いて縮小し、前記加工，合成手段を用いて第１合成画像に第２合成画像を集成する；請求項９に記載の画像形成装置。
【請求項１７】
前記合成制御手段はユーザの指示に応じて、前記加工，合成手段を用いて第１出所から得た画像に第２出所から得た画像を合成し前記画像データ変換手段を用いて縮小して第１合成画像とし、前記加工，合成手段を用いて第３出所から得た画像に第４出所から得た画像を合成し前記画像データ変換手段を用いて縮小して第２合成画像とし、前記加工，合成手段を用いて第１および第２合成画像を集成して集成画像を移動して綴じ代を開ける；請求項９に記載の画像形成装置。
【発明の詳細な説明】
【技術分野】
【０００１】
本発明は、原稿を読み取り電子化した画像データを得る画像読み取り装置，画像データを蓄積する蓄積記憶装置，画像データを一時記憶する一時記憶装置，画像を加工および合成する画像処理装置および上記各装置間を接続するバス制御装置を備える画像合成装置およびそれを用いる画像形成装置に関し、たとえば、原稿スキャナ，複写機およびファクシミリ装置に用いることができる。本発明は、複写，ファクシミリ通信，コンピュータ書画の印刷，画像読み取り等の中の２以上の機能を複合したデジタル複合機（ＭＦＰ）に用いるのが好ましい。
【背景技術】
【０００２】
ＣＣＤ光電変換素子からなるラインセンサを用いた読み取り装置や、レーザー照射によるトナー書き込み装置の発展により、アナログ複写機からデジタル化された画像データにてコピーを作成するデジタル複写機が登場した。デジタル複写機となってからは、デジタル画像データを扱う他の装置との親和性が高まり、複写機としての機能だけでなく、ファクシミリ機能，プリンタ機能，スキャナ機能等，いろいろな機能と複合し、単なるデジタル複写機ではなく、デジタル複合機（ＭＦＰ）と呼ばれるようになった。
【０００３】
ＨＤＤドライブ等メモリ大容量化，低コスト化，ネットワーク等通信技術の高速化や普及，ＣＰＵの処理能力の向上，デジタル画像データに関連する技術（圧縮技術等）等々、ＭＦＰに関連する技術の進化に伴い、ＭＦＰに搭載される機能も多種，多様化してきている。
【０００４】
【特許文献１】特開２００２−１１１９８８８号公報
【特許文献２】特許第３６４７３４７号公報
【特許文献３】特開２００３−２２４７１６号公報
【特許文献４】特開２００４−  ２１４３６号公報。
【０００５】
特許文献１には、ＭＦＰの画像データ処理システムの構成が記載されており、特許文献２には、入力画像データが表す画像の姿勢，特徴（文字／写真，白黒／カラー）に応じて、画像データに、回転，変倍又はその他各種の処理をしてプリンタに出力するＭＦＰが記載されている。特許文献３には、異機種ＭＦＰの画像データを利用するための標準データ補正手段を備えるＭＦＰが記載され、特許文献４には、外部メモリの画像データを利用する合成機能がある画像合成装置が記載されている。
【０００６】
ＭＦＰの使われ方も多種，多様化してきている。例えばパーソナルコンピュータ（ＰＣ）の横にペアで設置され、操作者が手軽に複写機，ファクシミリ，プリンタ，スキャナの機能を使用することができる小型ＭＦＰ、部署や課単位の複数名で共有され、ある程度の生産性やソート，パンチ，ステープル等の機能が使用できる中型のＭＦＰ、企業の中で複写関連業務を集中して行う部署、もしくは複写関連業務そのものを生業とする会社では、高生産性，高品位で、多機能な大型のＭＦＰ、が使用されている。小型〜大型まで多様化してきているＭＦＰであるが、各クラスに亘って共有できる機能も存在するが、クラスごとに要求が強い機能も存在する。たとえば大型ＭＦＰではパンチ，ステープル，紙折り等、プロット後の紙に対する後加工や、複写業務と同時に電子ファイリング化すること等が求められ、小型ＭＦＰではインターネットＦＡＸやＰＣ−ＦＡＸ等の充実や、パーソナルな使用目的として、専用紙に対する高品位画像印刷等が求められる。このように多種，多様化してきているＭＦＰ市場に対して、従来は各クラスに必要な機能をセットにしたシステムを構築し、提供していた。
【０００７】
ビジネスにおける情報価値の重要性は既に認知されており、情報を早く・正確に・確実に伝えるだけでなく、分かりやすく・効果的に伝えることも要求されている。通信技術の高速化／普及化・メモリの大容量化／低コスト化／小型化・ＰＣの高性能化にともない、デジタルデータを利用した情報を効率的にあつかう新しい機能が提供されてきており、デジタルデータの一部であるデジタル画像データを扱うＭＦＰにも、新機能の提供や融合が望まれてきている。
【０００８】
ＭＦＰ内部に蓄積，保存しておいたデジタル画像データを再度出力する場合、データの蓄積，保存時から時間が経過していることが多く、その間に再出力ユーザの状況、すなわち要求，ニーズが変化することが多くなっており、その要求，ニーズの変化に対応できないという問題が発生する。例えば、コピー機能を使用したときにＭＦＰ内部に保存したデジタル画像データを、ファックス送信したい場合に、そういう使い方が出来なかったり、出来たとしても画質が大きく異なってしまったり、生産性が著しく落ちてしまったりする問題が挙げられる。
【０００９】
このような問題に対し、蓄積時に画質を統一し、再利用時に出力する機器に合わせて画像処理を行うのが好ましい。例えば、コピー機能を利用してコピー出力した際にある統一した画質で蓄積しておいた画像データをファックス送信する場合と、スキャナ機能を利用して、スキャナ配信した際にある統一した画質で蓄積しておいた画像データをファックス送信する場合、どちらもある統一された画質の画像データを基にし、ファックス送信に適した画像処理をかけることによりファックスを受信する側では蓄積時に使われた機能を意識することなく同じ画質のファックス出力を得ることができる。
【００１０】
一方、ＭＦＰはデジタル機固有の各種編集加工処理を具備しており、印字合成を行う場合の画質面の汎用性を高めるのが好ましい。たとえば、原稿画像と合成画像の画質を統一することで汎用性を高め、仕上がり画質を向上させ、しかも、原稿画像と合成画像の特徴量データの合成方式を切り替え可能にすることにより、特徴量データに対する汎用性を高め、仕上がり画質を向上させるのが好ましい。
【発明の開示】
【発明が解決しようとする課題】
【００１１】
しかしながら、画質を統一することにより汎用性が高まる一方、各種編集加工処理に対しても、ＭＦＰ内部に蓄積，保存しておいたデジタル画像データを再度出力する場合、データの蓄積，保存時から時間が経過していることが多く、その間に再出力ユーザの状況、すなわち要求，ニーズが変化することが多くなっており、その要求，ニーズの変化に対応できないという問題が考えられる。例えば、コピー機能においてスタンプ等の印字合成を行う場合に、他の綴じ代，枠消去等の編集加工処理との組合せ動作が出来なくなったりして、編集加工の機能を著しく落してしまったりする。
【００１２】
本発明は、書画情報の編集加工の機能を高くすることを第１の目的とし、書画情報の利用態様を広くすることを第２の目的とし、書画情報の複合再利用のバラエティを広げることを第３の目的とする。複数の書画情報を集約しスタンプ像を合成する編集を可能としそのバラエティを多くすることを第４の目的とする。
【課題を解決するための手段】
【００１３】
（１）原稿を読み取り電子化した画像データを得る画像読み取り手段(1,2)；
画像データを蓄積する蓄積記憶手段(6)；
画像データを一時記憶する一時記憶手段(8)；
画像を加工又は合成する画像処理手段(4,5)；
上記各手段間を接続するバス制御手段(3)；
ユーザの、画像の合成を指定する入力に応答して、合成に用いる複数画像の各出所を、指定に応じて前記画像読み取り手段(1,2)又は前記蓄積記憶手段(6)に定め、定めた出所情報を用いた前記複数画像の入力制御情報(合成制御テーブル)を生成する手段(11,7)；および、
前記入力制御情報に基づいて前記出所から画像データを出力し、前記バス制御手段(3)を介して前記一時記憶手段(8)に記憶しかつディスプレイ(LCD)に表示するとともに、ユーザの加工又は合成指示に応じて前記バス制御手段(3)および前記画像処理手段(4,5)を用いて画像データを加工又は合成して前記一時記憶手段(8)に記憶する画像処理を、前記入力制御情報に基づいて、前記複数画像の各出所に対して順次に行い、ユーザの合成指示に応じて複数出所からの前記画像処理した画像データを、前記バス制御手段(3)および前記画像処理手段(4,5)を用いて合成する、合成制御手段(7)；を備える画像合成装置。
【００１４】
（２）原稿を読み取り電子化した画像データを得る画像読み取り手段(1,2)；
通信を介して書画情報処理するコンピュータ(PC)から画像データを入手する通信手段(13)；
画像データを蓄積する蓄積記憶手段(6)；
画像データを一時記憶する一時記憶手段(8)；
画像を加工又は合成する画像処理手段(4,5)；
上記各手段間を接続するバス制御手段(3)；
ユーザの、画像の合成を指定する入力に応答して、合成に用いる複数画像の各出所を、指定に応じて前記画像読み取り手段(1,2)，前記コンピュータ(PC)又は前記蓄積記憶手段(6)に定め、定めた出所情報を用いた前記複数画像の入力制御情報(合成制御テーブル)を生成する手段(11,7)；および、
前記入力制御情報に基づいて前記出所から画像データを出力し、前記バス制御手段(3)を介して前記一時記憶手段(8)に記憶しかつディスプレイ(LCD)に表示するとともに、ユーザの加工又は合成指示に応じて前記バス制御手段(3)および前記画像処理手段(4,5)を用いて画像データを加工又は合成して前記一時記憶手段(8)に記憶する画像処理を、前記入力制御情報に基づいて、前記複数画像の各出所に対して順次に行い、ユーザの合成指示に応じて複数出所からの前記画像処理した画像データを、前記バス制御手段(3)および前記画像処理手段(4,5)を用いて合成する、合成制御手段(7)；を備える画像合成装置。
【００１５】
（３）原稿を読み取り電子化した画像データを得る画像読み取り手段(1,2)；
外部記憶媒体(18)の画像データを読み込む手段(13)；
画像データを蓄積する蓄積記憶手段(6)；
画像データを一時記憶する一時記憶手段(8)；
画像を加工又は合成する画像処理手段(4,5)；
上記各手段間を接続するバス制御手段(3)；
ユーザの、画像の合成を指定する入力に応答して、合成に用いる複数画像の各出所を、指定に応じて前記画像読み取り手段(1,2)，前記外部記憶媒体(18)又は前記蓄積記憶手段(6)に定め、定めた出所情報を用いた前記複数画像の入力制御情報(合成制御テーブル)を生成する手段(11,7)；および、
前記入力制御情報に基づいて前記出所から画像データを出力し、前記バス制御手段(3)を介して前記一時記憶手段(8)に記憶しかつディスプレイ(LCD)に表示するとともに、ユーザの加工又は合成指示に応じて前記バス制御手段(3)および前記画像処理手段(4,5)を用いて画像データを加工又は合成して前記一時記憶手段(8)に記憶する画像処理を、前記入力制御情報に基づいて、前記複数画像の各出所に対して順次に行い、ユーザの合成指示に応じて複数出所からの前記画像処理した画像データを、前記バス制御手段(3)および前記画像処理手段(4,5)を用いて合成する、合成制御手段(7)；を備える画像合成装置。
【００１６】
（４）原稿を読み取り電子化した画像データを得る画像読み取り手段(1,2)；
通信を介して書画情報処理するコンピュータ(PC)から画像データを入手する通信手段(13)；
外部記憶媒体(18)の画像データを読み込む手段(13)；
画像データを蓄積する蓄積記憶手段(6)；
画像データを一時記憶する一時記憶手段(8)；
画像を加工又は合成する画像処理手段(4,5)；
上記各手段間を接続するバス制御手段(3)；
ユーザの、画像の合成を指定する入力に応答して、合成に用いる複数画像の各出所を、指定に応じて前記画像読み取り手段(1,2)，前記コンピュータ(PC)，前記外部記憶媒体(18)又は前記蓄積記憶手段(6)に定め、定めた出所情報を用いた前記複数画像の入力制御情報(合成制御テーブル)を生成する手段(11,7)；および、
前記入力制御情報に基づいて前記出所から画像データを出力し、前記バス制御手段(3)を介して前記一時記憶手段(8)に記憶しかつディスプレイ(LCD)に表示するとともに、ユーザの加工又は合成指示に応じて前記バス制御手段(3)および前記画像処理手段(4,5)を用いて画像データを加工又は合成して前記一時記憶手段(8)に記憶する画像処理を、前記入力制御情報に基づいて、前記複数画像の各出所に対して順次に行い、ユーザの合成指示に応じて複数出所からの前記画像処理した画像データを、前記バス制御手段(3)および前記画像処理手段(4,5)を用いて合成する、合成制御手段(7)；を備える画像合成装置。
【００１７】
なお、理解を容易にするために括弧内には、図面に示し後述する実施例の対応又は相当要素の符号もしくは対応事項を、例示として参考までに付記した。以下も同様である。
【発明の効果】
【００１８】
上記（１）〜（４）のいずれによっても、ユーザの、画像の合成を指定する入力に応答して、合成に用いる複数画像の各出所を、指定に応じて前記画像読み取り手段(1,2)又は前記蓄積記憶手段(6)に定め、定めた出所情報を用いた前記複数画像の入力制御情報を生成し、合成制御手段(7)によって、前記入力制御情報に基づいて複数出所から画像データを出力し合成を行うので、画像合成のユーザによる操作性がよい。すなわちユーザの使い勝手がよい。編集加工の機能およびバラエティを高くすることができる。書画情報の利用態様を広くすることができる。書画情報の複合再利用のバラエティを広げることができる。
【００１９】
また、各出所から画像データを出力したときにユーザは画像処理手段(4,5)を用いて画像データを加工又は合成することができるので、複数出所の画像データの合成の前に、各画像に対応して適切に画像を修正又は加工でき、また、予め別画像を組込み合成できる。
【発明を実施するための最良の形態】
【００２０】
（５）前記合成制御手段(7)は、複数出所からの前記画像処理した画像データの合成画像データを、ユーザの加工又は合成指示に応じて前記バス制御手段(3)および前記画像処理手段(4,5)を用いて加工又は合成の処理をする；上記（１）乃至（４）のいずれか１つに記載の画像合成装置。
【００２１】
これによれば、各出所から画像データを合成した直後に、ユーザは画像処理手段(4,5)を用いて画像データを加工又は合成することができるので、画像合成のユーザによる操作性がよい。編集加工の機能およびバラエティを高くすることができる。書画情報の利用態様を広くすることができる。書画情報の複合再利用のバラエティを広げることができる。
【００２２】
（６）前記入力制御情報を生成する手段(11,7)は、ユーザの、画像集成のための台紙領域の分割に対応して各分割領域に前記各出所を宛てる；上記（１）乃至（５）のいずれか１つに記載の画像合成装置。
【００２３】
これは、各出所からの画像の合成が、それらを並べて一枚にする集成すなわち集約である。該集成において、上記（１）乃至（４）に対する上述の効果および上記（５）に記載の効果が、期待できる。
【００２４】
（７）前記加工は、拡大／縮小，トリミング，移動，マスク，領域コピー，不透明貼付け又は透明貼付け、を含む；上記（１）乃至（６）のいずれか１つに記載の画像合成装置。
【００２５】
これによれば、前記各出所から出力する画像に対して、またそれらを合成した合成画像に対して、ユーザ指示に対応して、枠領域の形成，綴じ代の形成，一部領域のマスク（塗りつぶし）又は小形画像の不透明貼付け／透明貼付けをすることができ、書画情報の複合再利用のバラエティを広げることができる。
【００２６】
（８）画像データが表す画像を用紙上に形成する作像手段(10)；および、
上記（１）乃至（７）のいずれか１つに記載の画像合成装置；を備え、
該画像合成装置の前記画像処理手段(4,5)が、画像データの加工，合成処理を行う加工，合成手段(4)、および、前記複数出所からの前記画像処理した画像データを合成した画像データを、前記作像手段(10)による画像形成に適合する作像用の画像データに変換する画像データ変換手段(5)、を含む；画像形成装置。
【００２７】
これによれば、上述の、各出所から得る画像，それらの合成画像および該合成画像の加工画像を、それぞれ印刷出力することができる。
【００２８】
（９）前記画像データ変換手段(5)は、拡大／縮小機能を含む；上記（８）に記載の画像形成装置。これによれば、上述の、各出所から得る画像，それらの合成画像および該合成画像の加工画像を、それぞれ拡大又は縮小して印刷出力することができる。
【００２９】
（１０）前記合成制御手段(7)はユーザの指示に応じて、第１出所から得た画像を前記画像データ変換手段(5)を用いて縮小し、第２出所から得た画像を前記画像データ変換手段(5)を用いて縮小して、第１出所からの画像の縮小画像と集約してから、前記加工，合成手段(4)を用いて集約画像に第３出所から得る画像(スタンプ画像)を合成する(図12)；上記（９）に記載の画像形成装置。
【００３０】
（１１）前記合成制御手段(7)はユーザの指示に応じて、第１出所から得た画像の枠領域を前記加工，合成手段(4)を用いて消去してから縮小し、第２出所から得た画像データの枠領域を前記加工，合成手段(4)を用いて消去してから縮小する(図12)；上記（１０）に記載の画像形成装置。
【００３１】
これによれば、第３出所からスタンプ画像を出力すると、第１および第２出所から得る画像毎に、部分消去処理（トリミング）によって枠領域(図12)を形成した後、集約し、集約した単位にスタンプを施すことができる。
【００３２】
（１２）前記合成制御手段(7)はユーザの指示に応じて、前記加工，合成手段(4)を用いて第１出所から得た画像に第２出所から得た画像(ページスタンプ画像)を合成し得た第１合成画像を前記画像データ変換手段(5)を用いて縮小し、前前記加工，合成手段(4)を用いて第３出所から得た画像に第４出所から得た画像(ページスタンプ画像)を合成し得た第２合成画像を前記画像データ変換手段(5)を用いて縮小し、前記加工，合成手段(4)を用いて第１合成画像に第２合成画像を集成する(図13)；上記（９）に記載の画像形成装置。
【００３３】
（１３）前記合成制御手段(7)はユーザの指示に応じて、第１出所から得た画像の枠領域を前記加工，合成手段(4)を用いて消去してからそれに第２出所から得た画像(ページスタンプ画像)を合成し、第３出所から得た画像の枠領域を前記加工，合成手段(4)を用いて消去してからそれに第４出所から得た画像(ページスタンプ画像)を合成する(図13)；上記（１２）に記載の画像形成装置。
【００３４】
これによれば、第１および第２出所から得る画像毎に、部分消去処理（トリミング）によって枠領域(図13)を形成した後、第２出所および第４出所のページスタンプを施し、その後集約することができる。
【００３５】
（１４）前記合成制御手段(7)はユーザの指示に応じて、第１出所から得た画像を前記画像データ変換手段(5)を用いて縮小し、前記前記加工，合成手段(4)を用いて枠領域を加えて該枠領域に第２出所から得た画像(日付スタンプ画像)を合成する(図14)；上記（９）に記載の画像形成装置。
【００３６】
これによれば、第１出所から得た画像をちょっと縮小し、その周りの余白部にもスタンプを施すことができる(図14)。
【００３７】
（１５）前記合成制御手段(7)はユーザの指示に応じて、第１出所から得た画像を前記画像データ変換手段(5)を用いて縮小し、第２出所から得た画像を前記画像データ変換手段(5)を用いて縮小して、前記加工，合成手段(4)を用いて第１出所からの画像の縮小画像と集約してから、前記加工，合成手段(4)を用いて集約画像に第３出所から得る画像(スタンプ画像)を合成し、前記加工，合成手段(4)を用いて合成画像を移動して綴じ代を開ける(図15)；上記（９）に記載の画像形成装置。
【００３８】
これによれば、集約した後、集約した単位にスタンプを施し、その後余白を追加（綴じ代）をつけることができる(図15)。
【００３９】
（１６）前記合成制御手段(7)はユーザの指示に応じて、前記加工，合成手段(4)を用いて第１出所から得た画像に第２出所から得た画像(ページスタンプ画像)を合成し一部をマスクし、得た第１合成画像を前記画像データ変換手段(5)を用いて縮小し、前前記加工，合成手段(4)を用いて第３出所から得た画像に第４出所から得た画像(ページスタンプ画像)を合成し一部をマスクし、得た第２合成画像を前記画像データ変換手段(5)を用いて縮小し、前記加工，合成手段(4)を用いて第１合成画像に第２合成画像を集成する(図16)；上記（９）に記載の画像形成装置。
【００４０】
これによれば、画像毎にスタンプを施し、部分消去を行ったのちに、集約することができる(図16)。
【００４１】
（１７）前記合成制御手段(7)はユーザの指示に応じて、前記加工，合成手段(4)を用いて第１出所から得た画像に第２出所から得た画像(ページスタンプ画像)を合成し前記画像データ変換手段(5)を用いて縮小して第１合成画像とし、前記加工，合成手段(4)を用いて第３出所から得た画像に第４出所から得た画像(ページスタンプ画像)を合成し前記画像データ変換手段(5)を用いて縮小して第２合成画像とし、前記加工，合成手段(4)を用いて第１および第２合成画像を集成して集成画像を移動して綴じ代を開ける(図17)；上記（９）に記載の画像形成装置。
【００４２】
画像毎にスタンプを施したのち集約し、集約した単位に余白を追加（綴じ代）することができる(図17)。
【００４３】
本発明の他の目的および特徴は、図面を参照した以下の実施例の説明より明らかになろう。
【実施例１】
【００４４】
図１に、本発明の一実施例である複合機能複写機ＭＦ１の構成を示す。読取り装置１は、ＣＣＤ光電変換素子からなるラインセンサとＡ／Ｄコンバータとそれら駆動回路を具備し、セットされた原稿をスキャンすることで得る原稿の濃淡情報から、ＲＧＢ各８ビットのデジタル画像データを生成し出力する。画像データ補正装置２は、読取り装置１からのデジタル画像データに対し、予め定めた特性に統一する処理を施し、補正後の画像データを出力する。図２に、画像データ補正装置２の機能を示す。入力された画像データに対してスキャナγ処理２０１が、読取り装置１のγ特性から予め定めた統一された特性への画像γ変換を行う。本実施例では明度リニアへの変換を施す。次にフィルタ処理２０２が、画像データの持つ空間周波数を変換するフィルタ処理をする。本実施例では読取り装置１のＭＴＦ特性から予め定めたＭＴＦ特性へ補正する。次に画像データは、色変換処理２０３にて色変換処理される。本実施例で予め定めた色空間として、汎用であるｓＲＧＢ色空間へ変換する。
【００４５】
図１を再度参照すると、バス制御装置３は、複写機ＭＦ１内で必要な画像データや制御コマンド等各種データのやり取りを行うデータバスの制御装置で、複数種のバス規格間のブリッジ機能も有している。本実施例では、画像データ補正装置２、画像加工，合成装置４、画像データ処理装置５、ＣＰＵ７とはPCI-Expressバス、ＨＤＤとはＡＴＡバスで接続し、ＡＳＩＣ化している。
【００４６】
画像加工，合成装置４は、ＳＩＭＤ型デジタル信号プロセッサ（ＤＰＳ）で構成された画像処理ユニットであり、メモリ８から転送される画像データに対して、ＣＰＵ７が与える処理種別および領域データに基づいて、画像加工処理をする。画像加工，合成装置４の画像加工処理機能には、図３の（ａ）に示すように、指定領域の画像を消去するトリミング４０１，指定領域の画像を指定色で塗りつぶすマスキング（通称マスク）４０２，指定領域の画像データをクリップボードにコピーする切取り４０３，指定領域の画像を指定位置にシフトする移動４０４，第２画像を第１画像の上に不透明に貼り付ける不透明貼付け４０５，第２画像を第１画像を透視可に貼付ける透明貼付け４０６、および、指定された台紙視上に、複数の画像を指定された位置に並べる集成４０７がある。
【００４７】
画像データ処理装置５は、画像データ補正装置２及び回線Ｉ／Ｆ装置１２や外部Ｉ／Ｆ装置１３を通じて入力される画像データに対し、各種画像処理を施す。図３の（ｂ）に、画像データ処理装置５の機能を示す。画像データ処理装置５に入力された画像データには、フィルタ処理３０２において、プロッタ装置９のＭＴＦ特性に合うようにフィルタ処理を施す。次に画像データは色変換処理３０３で、出力先の色空間特性に合う画像データに変換処理する。本実施例では、ＲＧＢ画像データを、出力先のプロッタ装置９の仕様に合うＣＭＹＫ画像データに変換する。次に画像データを、解像度変換処理３０４で、出力先の仕様とコピー動作時の指定倍率に従った解像度に変倍処理（解像度変換）する。本実施例では、読取り装置１が６００ｄｐｉで読み取り、プロッタ装置９が６００ｄｐｉで印刷する。これが等倍複写である。このとき解像度変換はしない。次に画像データは、γ処理３０５で、予め定められたγ特性（明度リニア）からプロッタ装置９に合った画像表現特性にγ変換する。次に中間調処理３０６が、プロッタ装置９の仕様に合うような階調処理を施す。本実施例では、ディザ処理や誤差拡散処理を用いてプロッタ装置９に合わせて階調の深さ（ビット数）の変換（８ｂｉｔ→２ｂｉｔ）を行う。
【００４８】
図１を再度参照すると、ＨＤＤ６は、デスクトップパソコンにも使用されている電子データを保存するための大型の記憶装置で、複写機ＭＦ１内では主にデジタル画像データおよび画像データの付帯情報（モード情報等）を蓄積する。また本実施例ではＩＤＥを拡張して規格化されているＡＴＡバス接続のハードディスクを使用する。
ＣＰＵ７は、複写機ＭＦ１の制御全体を司るマイクロプロセッサである。また本実施例では近年普及してきたＣＰＵコア単体に＋αの機能を追加したIntegrated ＣＰＵを使用した。本実施例ではＰＭＣ社のRM11100を採用し、各種汎用規格Ｉ／Ｆとの接続機能や、クロスバースイッチを使ってこれらの複数種のバス間を接続する機能がインテグレートされている。
【００４９】
メモリ８は、複数種のバス規格間をブリッジする際の処理の速度差を吸収するために、一時的にやりとりするデータの記憶や、ＣＰＵ７が複写機ＭＦ１の制御を行う際に、プログラムや中間処理データを一時的に記憶する揮発性メモリである。ＣＰＵ７には高速処理が求められるため、通常起動時にＲＯＭ１５に記憶されたブートプログラムにてシステムを起動し、その後は高速にアクセス可能なメモリ８に展開されたプログラムによって処理を行う。本実施例では規格化されパーソナルコンピュータに使用されているＤＩＭＭを使用した。
【００５０】
プロッタＩ／Ｆ装置９は、ＣＰＵ７にインテグレートされた汎用規格Ｉ／Ｆ経由で送られてくるＣＭＹＫからなるデジタル画像データを受け取ると、プロッタ装置１０の専用Ｉ／Ｆに出力するバスブリッジ処理を行う。本実施例で使用している汎用規格Ｉ／ＦはPCI-Expressバスである。
【００５１】
プロッタ装置１０は、ＣＭＹＫからなるデジタル画像データを受け取ると、レーザービームを用いた電子写真プロセスを使って、転写紙に受け取った画像データを出力する。
【００５２】
Ｓ．Ｂ．１４は、パーソナルコンピュータに使用されるチップセットのひとつで、South Bridgeと呼ばれる汎用の電子デバイスである。主にPCI-ExpressとＩＳＡブリッジを含むＣＰＵシステムを構築する際によく使用されるバスの、ブリッジ機能を汎用回路化したもので、本実施例ではＲＯＭ１５との間をブリッジしている。ＲＯＭ１５は、ＣＰＵ７が複写機ＭＦ１の制御を行う際のプログラム（含むブート）が格納されるメモリである。
【００５３】
操作表示装置１１は、複写機ＭＦ１とユーザのインターフェースを行う部分で、ＬＣＤ（液晶表示装置）とスクロールキー，各種キースイッチおよび入力状態を表示するＬＥＤから構成され、装置の各種状態や操作方法をＬＣＤに表示し、ユーザからのキースイッチ入力を検知する。また、スクロールキーの操作に応じてＬＣＤに表示したカーソルの位置をシフトする。本実施例では操作表示装置１１はPCI-Expressバスを介してＣＰＵ７と接続している。
【００５４】
回線Ｉ／Ｆ装置１２はPCI-Expressバスと電話回線を接続する装置で、この装置により複写機ＭＦ１は電話回線を介して各種データのやり取りを行うことが可能になる。ＦＡＸ１６は通常のファクシミリで、電話回線を介して複写機ＭＦ１と画像データの授受を行う。
【００５５】
外部Ｉ／Ｆ装置１３はPCI-Expressバスと外部装置を接続する装置で、この装置により複写機ＭＦ１は外部装置と各種データのやり取りを行うことが可能になる。本実施例ではその接続Ｉ／Ｆにネットワーク（イーサネット（登録商標））および外部メディアＩ／Ｆ（ＳＤカード）を使用する。すなわち複写機ＭＦ１は外部Ｉ／Ｆ装置１３を介してネットワークや外部メディア（ＳＤカード等）に接続している。
【００５６】
ＰＣ１７はいわゆるパーソナルコンピュータで、パーソナルコンピュータにインストールされたアプリケーションソフトやドライバを介して、ユーザは複写機ＭＦ１に対して各種制御や画像データの入出力を行う。外部メディア１８はいわゆるコンパクトフラッシュ（登録商標）カードやＳＤカード等のメモリデバイスで、画像データを含む各種電子データを記録しており、ユーザは複写機ＭＦ１に対して画像データの入出力を行う。
【００５７】
図４に、図１に示すシステムコントローラＳＣＤ（にあるＣＰＵ７）の、操作表示装置１１に対するユーザの操作またはＰＣ１７からのコマンドに応答して実行するシステム制御の概要を示す。動作電圧が加わるとＣＰＵ７は、出力ポートのクリア，内部メモリ，レジスタの初期化等を行い（ステップ１，２）、そして各部の状態読み取りを行う（ステップ３）。以下では、括弧内にはステップという語を省略して、ステップ番号のみを記す。異常個所があるとそれを操作表示装置１１のディスプレイ（ＬＣＤ）あるいはＬＥＤで報知し、正常に変わるのを待つ（５）。正常であると、「入力読み取り」（６）で、操作表示装置１１に対するユーザの操作あるいはＰＣ１７又はＦＡＸ１６からのコマンド又は受信要求があるのを待つ。
【００５８】
ここで、操作表示装置１１上の「初期設定」キーが操作されると、操作表示装置１１（にあるＣＰＵ７）は、「初期設定」（８）を実行する。この「初期設定」（８）において操作表示装置１１は、そのＬＣＤに、初期設定のメニュー画面を表示する。該メニュー画面にはユーザ登録の項目があり、該ユーザ登録をオペレータが指定すると、ＭＦ１管理者パスワードの入力画面を表示する。オペレータがＭＦ１管理者パスワードを入力すると、操作表示装置１１は、ユーザ登録入力画面を表示する。この画面上にユーザ名とパスワードを入力して、ユーザ登録することができる。ユーザ登録情報（ユーザ名＆パスワード）は、操作表示装置１１の不揮発メモリに書込まれる。
【００５９】
操作表示装置１１のＬＣＤに表示された機能選択キー群の中の「コピー」をユーザが指定すると、ＬＣＤの表示は、コピーモードの入力画面となり、コントローラＳＣＤのＣＰＵ７は、操作表示装置１１に対するユーザのコピー用入力操作に応答する「コピー」（１０）を実行する。
【００６０】
機能選択キー群の中の「読み取り」をユーザが指定すると、ＬＣＤの表示は、原稿画像「読み取り」モードの入力画面となり、ＣＰＵ７は、操作表示装置１１に対するユーザの読み取り用入力操作に応答する「読み取り」（１２）を実行する。機能選択キー群の中の「印刷」をユーザが指定すると、ＬＣＤの表示は、蓄積画像の「印刷」モードの入力画面となり、ＣＰＵ７は、操作表示装置１１に対するユーザの蓄積画像印刷のための入力操作に応答する「印刷」（１４）を実行する。機能選択キー群の中の「ファクシミリ」をユーザが指定すると、ＬＣＤの表示は、スキャナ１０に配置した原稿の「ファクシミリ（送信）」モードの入力画面となり、ＣＰＵ７は、操作表示装置１１に対するユーザのファクシミリ送信のための入力操作に応答する「ファクシミリ」（１６）を実行する。機能選択キー群の中の「蓄積」をユーザが指定すると、ＬＣＤの表示は、スキャナ１０に配置した原稿の画像をＨＤＤ５に蓄積（登録）する「蓄積」モードの入力画面となり、ＣＰＵ７は、操作表示装置１１に対するユーザの蓄積のための入力操作に応答する「蓄積」（１８）を実行する。機能選択キー群の中の「編集」をユーザが指定すると、ＬＣＤの表示は、ＨＤＤ５に蓄積した画像を読み出して編集する「編集」モードの入力画面となり、ＣＰＵ７は、操作表示装置１１に対するユーザの編集のための入力操作に応答する「編集」（２０）を実行する。
【００６１】
複合機能複写機ＭＦ１に接続されたＰＣ１７には、該ＰＣ１７を操作表示装置１１と同等の操作端末とししかもＰＣ１７に接続されたディスプレイに、操作表示装置１１のディスプレイと同様に読み取り画像を表示するアプリケーションプログラムがインストールされており、ユーザはＰＣ１７を用いて、操作表示装置１１を使用するのと同等に、複写機ＭＦ１を使用することができる。ＰＣ１７のアプリケーションプログラムを起動することにより、操作表示装置１１のＬＣＤに表示される操作ボード入力画面と同様な入力画面がＰＣ１７のディスプレイに表示され、該入力画面上の入力ボタンにカーソルをおいてダブルクリックするか、あるいはＥｎｔｅｒキーを押すことにより、該入力ボタンに対する入力操作をＰＣ１７が認識する。ＰＣ１７に対する入力操作に応答して、ＰＣ１７から複写機ＭＦ１のコントローラＳＣＤにコマンドが送られてくると、コントローラＳＣＤのＣＰＵ７は、操作表示装置１１に対して入力操作があった場合と同様に、コマンド対応の制御に進む（２２）。
【００６２】
−コピー動作（スキャナ入力／プロッタ出力動作）−
ユーザは原稿を読取り装置１にセットし、所望するモード等の設定とコピー開始の入力を操作表示装置１１に行う。操作表示装置１１はユーザから入力された情報を、機器内部の制御コマンドデータに変換し発行する。発行された制御コマンドデータは、PCI-Expressバスを介してＣＰＵ７に通知される。ＣＰＵ７は、コピー開始の制御コマンドデータに従って、コピー動作プロセスのプログラムを実行し、コピー動作に必要な設定や動作を順に行っていく。以下に動作プロセスを順に記す。
【００６３】
読取り装置１で原稿をスキャンして得られたＲＧＢ各８ビットのデジタル画像データは、画像データ補正装置２で予め定めた特性に統一する処理（読み取り歪補正）が施され、補正後の画像データはバス制御装置３に送られる。
【００６４】
バス制御装置３は、画像データ補正装置２が処理したＲＧＢ画像デーを受け取ると、ＣＰＵ７を介してメモリ８に蓄積する。次にメモリ８に蓄積されたＲＧＢ画像データは、ＣＰＵ７及びバス制御装置３を介して、画像データ処理装置５に送られる。画像データ処理装置５は受け取ったＲＧＢ画像データをプロッタ出力用のＣＭＹＫ画像データに変換し出力する。
【００６５】
バス制御装置３は、画像データ処理装置５からのＣＭＹＫ画像データを受け取ると、ＣＰＵ７を介してメモリ８に蓄積する。メモリ８に蓄積したＣＭＹＫ画像データは、ＣＰＵ７及びプロッタＩ／Ｆ装置９を介して、プロッタ装置１０に送る。プロッタ装置１０は、受け取ったＣＭＹＫ画像データが表す画像を転写紙に形成する。これにより原稿のコピーが得られる。
【００６６】
−原稿画像読み取りと配信（スキャナ読取り配信）−
ユーザは、原稿を読取り装置１にセットし、所望するモード等の設定とスキャナ配信開始の入力を操作表示装置１１に行う。操作表示装置１１はユーザから入力された情報を、機器内部の制御コマンドデータに変換し発行する。発行された制御コマンドデータはPCI-Expressバスを介してＣＰＵ７に通知される。ＣＰＵ７は、コピー開始の制御コマンドデータに従って、コピー動作プロセスのプログラムを実行し、スキャナ読取り配信に必要な設定や動作を順に行っていく。以下に動作プロセスを順に記す。
【００６７】
読取り装置１で原稿をスキャンして得られたＲＧＢ各８ビットのデジタル画像データは、画像データ補正装置２で予め定めた特性に統一する処理が施され、補正後の画像データはバス制御装置３に送られる。
【００６８】
画像データ補正装置２に入力された画像データを、スキャナγ処理２０１が、読取り装置１のγ特性から予め定めた統一された特性にγ変換する。本実施例では明度リニアへ変換する。次にフィルタ処理２０２が、画像データの持つ空間周波数を変換する。本実施例では読取り装置１のＭＴＦ特性から予め定めたＭＴＦ特性へ補正する。次に色変換処理２０３が色変換処理する。本実施例で予め定めた色空間として、汎用であるｓＲＧＢ色空間に変換する。バス制御装置３は画像データ補正装置２からのｓＲＧＢ画像デーを受け取ると、ＣＰＵ７を介してメモリ８に蓄積する。
【００６９】
メモリ８に蓄積したｓＲＧＢ画像データは、ＣＰＵ７及びバス制御装置３を介して、画像データ処理装置５に送られる。画像データ処理装置５は受け取ったｓＲＧＢ画像データを、指定された画像データに変換して外部装置Ｉ／Ｆ１３へ出力する。
【００７０】
バス制御装置３は、画像データ処理装置５からＲＧＢ画像データを受け取ると、ＣＰＵ７を介してメモリ８に蓄積する。次にメモリ８に蓄積されたＲＧＢ画像データは、バス制御装置３およびＣＰＵ７を介して、外部Ｉ／Ｆ装置１３に送られる。
【００７１】
−読み取り画像の蓄積（登録）−
ユーザは原稿を読み取り装置１にセットし、ＨＤＤ蓄積の管理情報と蓄積開始の入力を操作表示装置１１に行う。ＣＰＵ７は、前述のコピー動作同様の処理を行っていき、ＲＧＢ画像データを一旦メモリ８に蓄積してからＨＤＤに画像ファイルおよび管理情報を登録し、バス制御装置３を介して、ＨＤＤ６に登録した画像ファイルに蓄積する。すなわち登録する。蓄積した画像データは、操作表示装置１１を用いて画像ファイルを指定して操作表示装置１１のＬＣＤに読み出して、編集，加工に用いることができる。また、プロッタ装置１０でプリントアウトすることもでき、ＰＣ１７或いはＳＤ１８に転送することができ、またＦＡＸ送信することができる。次に、画像データの、合成，加工，変倍について説明する。
【００７２】
図５〜図９に、図４に示した「編集」（５）での画像処理の概要を示す。まず図５を参照する。ユーザによって「編集」が指定されると操作表示装置１１はＬＣＤに、編集メニューを表示し（３１）、メニュー上の項目をユーザが指定すると（３２）、操作表示装置１１は、指定された項目の画像処理を行うための所要入力情報をＬＣＤに表示する（図５の３３／図６の４１／図８の６６／図９の８１）。
【００７３】
ここで、「１．画像入力」をユーザが指定すると、操作表示装置１１は、画像出所指定画面をＬＣＤに表示する（３２，３３）。ここでユーザが「１．スキャナ」を指定すると、操作表示装置１１はＬＣＤに原稿画像読み込みのための設定画面を表示して、ユーザの設定入力を読み込み、スタートキーが押されると、操作表示装置１１はＣＰＵ７に、原稿画像読み込みのユーザ入力を報知し、これに応じてＣＰＵ７が、読取装置１，画像補正装置２およびバス制御装置３を用いて、原稿画像読み取りをおこない、読み取った画像データをメモリ８に書込み、操作表示装置１１のＬＣＤに表示する（３４，３５）。
【００７４】
ユーザが「２．ＨＤＤ蓄積ファイル」を指定すると、操作表示装置１１はＬＣＤに登録フォルダのリストを表示し、ユーザによるフォルダの指定があると該フォルダ内の登録ファイルのリストを表示し、ユーザによるファイルの指定があると該ファイルの書画情報をＬＣＤに表示する（３４，３６）。
【００７５】
ユーザが「３．ＰＣドキュメント」を指定すると、操作表示装置１１はＰＣ１７の登録フォルダのリストを表示し、ユーザによるフォルダの指定があると該フォルダ内の登録ファイルのリストを表示し、ユーザによるファイルの指定があると該ファイルの書画情報をＬＣＤに表示する（３４，３７）。
【００７６】
また、ユーザが「４．外部メモリ」を指定すると、操作表示装置１１はユーザが指定した外部メモリの登録フォルダのリストを表示し、ユーザによるフォルダの指定があると該フォルダ内の登録ファイルのリストを表示し、ユーザによるファイルの指定があると該ファイルの書画情報をＬＣＤに表示する（３４，３８）。
【００７７】
上述のように、指定された出所の画像をＬＣＤに表示すると、ＣＰＵ７は操作表示装置１１を用いてＬＣＤに、画像処置項目および加工項目を表記したタスクバー表示枠を付加する（３９）。項目は図５のステップ３９のブロック内に表記した。ユーザがいずれかの項目を指定して実行を指示すると、操作表示装置１１がユーザ指示をＣＰＵ７に報知し、これに応答してＣＰＵ７が、表示中の画像に対するユーザ指示の処置又は加工を制御する（４０）。たとえば、ユーザが第１回の画像入力で、読み取り装置１で風景画像を読み込んでＬＣＤに表示し、そして「拡大／縮小」を指定して縮小し次いで「領域指定」で所望領域を指定して「コピー」によってシステムコントローラ８内に仮想形成するクリップボードに画像データ（例えば図１０に示す追加画像Ｐａ）をコピーしてから、第２回の画像入力で、ＨＤＤ６の登録画像（例えば図１０に示す台紙画像Ｐｂ）を開いてＬＣＤに表示し、「透明貼付け」でクリップボードのコピー画像を貼付けることにより、合成画像（例えば図１０に示す合成画像Ｐｃ）が得られる。この合成画像は、「印刷」を指定してプロッタ１０でプリントアウトできるし、「名前をつけて保存」を指定して新たにＨＤＤ６に登録できるし、「上書き保存」を指定してＨＤＤ６に登録している台紙画像Ｐｂを合成画像に書き換えることができる。
【００７８】
表示中の合成画像Ｐｃ上の追加画像Ｐａを指定し「移動」を指定して、台紙画像Ｐｂに対して追加画像Ｐａの位置を変更（シフト，ずらす）ことができる。ＰＣ１７でスタンプ画像（例えば４角枠付きの社外秘）を作成しておき、第１回の画像入力で該スタンプ画像をシステムコントローラ８内に仮想形成するクリップボードにコピーし、第２回の画像入力で台紙画像を読み込んでそれに貼付けることにより、スタンプ付き合成画像を得ることができる。なお、図１０に示す合成画像ＰｃをＨＤＤ６に登録してから、第３回の画像入力でＰＣ１７からスタンプ画像を読み出してシステムコントローラ８内に仮想形成するクリップボードにコピーし、そして第４回の画像入力でＨＤＤ６に登録した合成画像ＰｃをＬＣＤに表示してクリップボードのスタンプ画像を貼付けることもできる。そのほかに、合成画像又は合成前の画像を、必要に応じて「拡大／縮小」を用いて少し縮小してから、「移動」を用いてシフトすることにより、もしくは「トリミング」を用いて一部領域の画像を消去することにより、外枠，綴じ代，ページスタンプ領域等を形成することができる。
【００７９】
図５のステップ３１に示す編集メニュー上の「２．画像合成」をユーザが指定すると、操作表示装置１１はＬＣＤに、図６のステップ４１のブロックに示す「台紙画像の出所指定」の画面をＬＣＤに表示する（４１）。ここで図６を参照する。ユーザが「台紙画像の出所指定」上の「１．スキャナ」，「２．ＨＤＤ蓄積ファイル」，「３．ＰＣドキュメント」又は「４．外部メモリ」を指定し「ＯＫ」を操作表示装置１１に入力すると、ＣＰＵ７は、入力制御情報を格納するための合成制御テーブル（制御スケジュール：ＣＰＵ７内ＲＡＭの一領域）に、指定があった出所情報（入力制御情報の一部）を、台紙画像宛に書き込む（４２）。そして、図６のステップ４３のブロックに示す「追加画像の出所指定」の画面をＬＣＤに表示する（４３）。ここでユーザが「追加画像の出所指定」上の「１．スキャナ」，「２．ＨＤＤ蓄積ファイル」，「３．ＰＣドキュメント」又は「４．外部メモリ」を指定し「ＯＫ」を操作表示装置１１に入力すると、ＣＰＵ７は合成制御テーブルに、指定があった出所情報を、追加画像宛に書き込む（４４）。
【００８０】
そしてユーザが実行を指示すると、合成制御テーブルの台紙画像宛の出所情報が指定する出所から、画像データを取得してメモリ８に書き込んで操作表示ボード１１のＬＣＤに表示する（４６〜５０）。この内容は、図５に示し上述したステップ３４〜３８の処理と同様である。指定された出所の画像、すなわちここでは台紙画像、をＬＣＤに表示すると、ＣＰＵ７は操作表示装置１１を用いてＬＣＤに、画像処置項目および加工項目を表記したタスクバー表示枠を付加する（５１）。項目は図６のステップ５１のブロック内に表記した。ユーザがいずれかの項目を指定して実行を指示すると、操作表示装置１１がユーザ指示をＣＰＵ７に報知し、これに応答してＣＰＵ７が、表示中の画像に対するユーザ指示の処置又は加工を制御する（５２）。そしてユーザが「台紙画像登録」を指定し実行を指示すると、ＬＣＤに表示中の画像を、メモリ８の、台紙画像格納領域に書き込む（５３）。
【００８１】
ここで図７を参照する。次いでＣＰＵ７は、合成制御テーブルの追加画像宛の出所情報が指定する出所から、画像データを取得してメモリ８に書き込んで操作表示ボード１１のＬＣＤに表示する（５４〜５８）。この内容も、図５に示し上述したステップ３４〜３８の処理と同様である。指定された出所の画像、すなわちここでは追加画像、をＬＣＤに表示すると、ＣＰＵ７は操作表示装置１１を用いてＬＣＤに、画像処置項目および加工項目を表記したタスクバー表示枠を付加する（５９）。項目は図７のステップ５９のブロック内に表記した。ユーザがいずれかの項目を指定して実行を指示すると、操作表示装置１１がユーザ指示をＣＰＵ７に報知し、これに応答してＣＰＵ７が、表示中の画像に対するユーザ指示の処置又は加工を制御する（６０）。そしてユーザが「追加画像登録」を指定し実行を指示すると、ＬＣＤに表示中の画像を、メモリ８の、追加画像格納領域に書き込む（６０）。
【００８２】
ついでＣＰＵ７は、メモリ８の台紙画像をＬＣＤに表示し（６１）、画像処置項目および加工項目を表記したタスクバー表示枠を付加する（６２）。項目は図７のステップ６２のブロック内に表記した。ユーザがいずれかの項目を指定して実行を指示すると、操作表示装置１１がユーザ指示をＣＰＵ７に報知し、これに応答してＣＰＵ７が、表示中の画像に対するユーザ指示の処置又は加工を制御する（６３）。そしてユーザが「登録追加画像を貼付け」を指定し実行を指示すると、ＬＣＤに表示中の台紙画像に、位置をずらしてメモリ８の、追加画像を貼付ける（６３）。このときの貼付けは不透明貼付けであり、追加画像で覆われた台紙画像領域は見えない。ここでユーザが「透明貼付け」を指定し実行を指示すると、追加画像で覆われた台紙画像領域が追加画像を通して見えるようになる。両画像又は一方を指定して「移動」を指示することにより、指定があった画像をシフトすることができる。また「拡大／縮小」を指定して、拡大又は縮小をすることができる。ユーザが画面上の「ＯＫ」ボタンをクリックすると、タスクバーの表示項目を、ステップ６４のブロック内に表示する、合成画像を対象とするもの、に切り替える。ユーザがいずれかの項目を指定して実行を指示すると、ＣＰＵ７が、表示中の画像に対するユーザ指示の処置又は加工を制御する（６５）。
【００８３】
図５のステップ３１に示す編集メニュー上の「３．集成」をユーザが指定すると、操作表示装置１１はＬＣＤに、図８のステップ６６のブロックに示す「台紙の指定」の画面を表示する（６６）。ここで図８を参照する。ユーザが台紙のサイズ（例えばＢ４）を指定し、台紙の姿勢（例えば横）を指定し、領域分割（例えば２分割）を指定して「ＯＫ」をクリックすると、ＣＰＵ７は、集成制御テーブル（集成スケジュール）の、台紙情報欄にこれらの情報を集成制御データとして書き込む（６７）。この集成制御データも入力制御情報の一部である。ＣＰＵ７は次いで「集成画像の出所指定」を表示する（６８）。この内容は前述の、図６のステップ４１に示す出所指定画面のものと同様である。ユーザがいずれかを指定して「ＯＫ」をクリックすると、ＣＰＵ７は集成制御テーブルの集成画像入手先情報欄に書き込む（６９）。ＣＰＵ７は、この出所指定の表示とユーザ指定の読込みを、台紙の領域分割数の回数（例えば２回）繰り返し、これが終わると、第１番に指定があった集成画像入手先から画像データを得る（７１〜７５）。この内容も、図５に示し上述したステップ３４〜３８の処理と同様である。指定された出所の画像、すなわちここでは第１集成画像、をＬＣＤに表示すると、ＣＰＵ７は操作表示装置１１を用いてＬＣＤに、画像処置項目および加工項目を表記したタスクバー表示枠を付加する（７６）。項目は図８のステップ７６のブロック内に表記した。ユーザがいずれかの項目を指定して実行を指示すると、ＣＰＵ７が、表示中の画像に対するユーザ指示の処置又は加工を制御する（７７）。そしてユーザが「集成」を指定し実行を指示すると、ＬＣＤに表示中の第１集成画像を、台紙の第１分割領域にはめ込んだ台紙画像を生成してメモリ８に格納する。この処理を、出所指定があった集成画像入手先のそれぞれにつき、入手先の入力順に繰り返す。
【００８４】
なお、「３．貼付領域」に「自由貼付け」が指定されているときには、ステップ６８，６９で一箇所の集成画像入手先を入手するとＣＰＵ７はステップ７１〜７７を実行して、ステップ７６の「集成」では台紙上の、ユーザが指定する位置に集成画像を貼付け、ユーザが「つぎの集成画像」を指定するとステップ６８に戻る、集成画像出所指定から台紙への貼付けを、集成画像ごとにユーザ操作に応じて実行する。
【００８５】
全集成画像の貼付けを終えると、もしくはユーザが集成完了を入力すると、ＣＰＵ７は、タスクバーの表示項目を、ステップ７９のブロック内に表示する、集成画像を対象とするものに切り替える。ユーザがいずれかの項目を指定して実行を指示すると、ＣＰＵ７が、表示中の画像に対するユーザ指示の処置又は加工を制御する（８０）。
【００８６】
図５のステップ３１に示す編集メニュー上の「４．スタンプ登録」をユーザが指定すると、操作表示装置１１はＬＣＤに、図９のステップ８１のブロックに示す「画像入力メニュー」の画面をＬＣＤに表示して（８１）、ユーザが指定した出所の画像を得る（８３〜８６）。この内容も、図５に示し上述したステップ３４〜３８の処理と同様である。ここで図９を参照する。指定された出所の画像、すなわちここではスタンプ画像、をＬＣＤに表示すると、ＣＰＵ７は操作表示装置１１を用いてＬＣＤに、画像処置項目および加工項目を表記したタスクバー表示枠を付加する（８７）。項目は図９のステップ８７のブロック内に表記した。ユーザがいずれかの項目を指定して実行を指示すると、ＣＰＵ７が、表示中の画像に対するユーザ指示の処置又は加工を制御する（８８）。そしてユーザが「スタンプ登録」を指定し実行を指示すると、ＣＰＵ７は、ＨＤＤ６のスタンプ画像フォルダへの登録画面を表示する。ユーザはここで、登録ファイル名をつけて、表示画像を登録する。
【００８７】
以下に、上記「編集」（２０）を用いる数種の画像加工と合成の行程を説明する。
【００８８】
−「２．画像合成」を用いる画像合成−
ユーザは、台紙画像の出所を「２．ＨＤＤ蓄積ファイル」に、追加画像の出所を「１．スキャナ」として、追加画像とする原稿を読み取り装置１にセットし、台紙画像取り込みの入力操作を操作表示装置１１に行い、ＣＰＵ７が、ＨＤＤ６の、台紙画像Ｐｂとする蓄積ファイルを開いて、ＬＣＤに表示しメモリ８の台紙画像領域に書き込む。
【００８９】
次にＣＰＵ７は前述の「読み取り画像の蓄積（登録）」同様の処理を行って、読取装置の追加画像とする原稿をよみとって、メモリ８の追加画像格納領域に、読み取ったＲＧＢ画像データを書込み、ＬＣＤに表示する。取り込んだ追加画像データを本ＭＦＰ内に蓄積保存したい場合は、ＣＰＵ７及びバス制御装置３を介して、メモリ８の追加画像データをＨＤＤ６に蓄積する。
【００９０】
ＣＰＵ７は操作表示装置１１を介して指示される制御コマンドデータに従って、図１の画像データ処理装置５を用いて、追加画像の縮小を行い、メモリ８の追加画像データを縮小画像のものに更新する。
【００９１】
その後、制御コマンドデータに従ってＣＰＵ７は、メモリ８の台紙画像データ及び追加画像データを、バス制御装置３を介して、画像加工，合成装置４に送り、合成させる。画像加工，合成装置４内の動作を図３の（ａ）を参照して説明すると、入力された台紙画像データと追加画像データは、透明貼付け４０６にて合成処理される。本実施例ではＲデータ，Ｇデータ，Ｂデータの値を比較し大きい方の値を合成後データとして出力した（各８ｂｉｔ，黒側をＦＦＨとして算出）。このことにより合成後の画像データは図１０に示すように、透明貼付け画像すなわち“透かし画像”となる。
ＣＰＵ７は、画像加工，合成装置４からの出力される合成後画像データを、再びバス制御装置３を介してメモリ８にかきこみ、ＬＣＤに表示する。
【００９２】
−変倍画像の生成−
ＣＰＵ７は操作表示装置１１を介して指示される制御コマンドデータに従って、図１の画像データ処理装置５を用いて画像の変倍処理を行う。バス制御装置３は指定された画像データがＨＤＤ６内に蓄積されている場合は、画像データを、ＣＰＵ７を介してメモリ８に出力する。その後、メモリ８の画像データは、ＣＰＵ７及びバス制御装置３を介して、画像データ処理装置５に送られる。画像データ処理装置５内では、図３の（ｂ）の解像度変換処理３０４のみが動作することにより、入力画像データは変倍処理される。画像データ処理装置５からの出力される変倍後画像データは、再びバス制御装置３／ＣＰＵ７を介してメモリ８に格納する。
【００９３】
−加工画像の生成−
ＣＰＵ７は操作表示装置１１を介して指示される制御コマンドデータに従って、画像の加工処理を行う。バス制御装置３は指定された画像データがＨＤＤ６内に蓄積されている場合は、画像データを、ＣＰＵ７を介してメモリ８に出力する。その後、ＣＰＵ７はメモリ８内の画像データやその付帯情報を読み書きすることにより、加工処理を行う。その一例を、図５を用いて説明する。ＣＰＵ７はメモリ８の画像データの削除（矩形切り出し：指定領域の外のトリミング）の加工が指定された場合、メモリ８上の画像データの有効な矩形領域を算出する。次に画像データの追加（領域拡張：領域外トリミング）の加工が指定された場合、前述で算出した矩形領域の周辺の外領域を算出する。次に画像データの消去（マスク）の加工が指定された場合、前述で算出した削除／追加された画像データに対し消去する領域を算出する。その後、ＣＰＵ７はメモリ８内の画像データに対し、算出した加工情報に従ってリードモディファイライトを行い、付帯情報（主走査サイズ，副走査サイズ等）も再設定することで、画像データの加工処理を行う。これら削除／追加／消去を組み合わせることにより、画像データに対して、綴じ代を付加したり、枠消去を行ったり、指定領域のマスク処理などで、各種加工処理が可能となる。
【００９４】
本実施例では、バス制御装置３を介して、画像加工，合成装置４及び画像データ処理装置５と、ＣＰＵ７とメモリ８による加工処理の順番が切替え可能となっており、ユーザが所望する仕上がり画像データになるように、適切な合成／加工を行うことが可能となっている。
【００９５】
−画像のトリミング（枠消去），集成およびスタンプ付加（図１２）−
上述の「３．集成」において、ＣＰＵ７は操作表示装置１１を介して指示される制御コマンドデータに従って、集成に用いる画像データに対して加工処理での領域外トリミング（枠消去）を行うことにより、原稿画像の周辺に現れた影等の不要部分を削除する。次にＣＰＵ７は変倍処理により５０％縮小処理行い、縮小した２つの画像を１つと扱うことにより、台紙１ページに２画像を集約した画像データを生成する。次にＣＰＵ７は画像加工，合成装置４により、スタンプ像の合成を集約した画像データに行う。これらを行うことにより、ＭＦ１内部に蓄積・保存しておいたデジタル画像データを集約加工して利用することが可能となる。
【００９６】
−画像のトリミング（枠消去），ページスタンプ付加および集成（図１３）−
上述の「３．集成」において、ＣＰＵ７は操作表示装置１１を介して指示される制御コマンドデータに従って、原稿画像データに対して加工処理での枠消去を行うことにより、原稿画像の周辺にあらわれた影等の不要部分を削除する。次にＣＰＵ７は、画像加工，合成装置４により、ページＮｏ．（ページスタンプ画像）を合成付加する。次にＣＰＵ７は、変倍処理により５０％縮小処理行い、縮小した２つの画像を１つに並べ貼付けすることにより、台紙１ページに２画像を集約した画像データを生成する。
【００９７】
−画像の縮小，外枠調整，ページスタンプ付加（図１４）−
上述の「２．画像合成」において、ＣＰＵ７は操作表示装置１１を介して指示される制御コマンドデータに従って、原稿画像データに対して変倍処理により９０％縮小処理を行う。これにより、原稿画像データ又はＨＤＤ６に蓄積している画像データに対して加工処理での白領域又は外枠を形成でき、画像の移動によって、該白領域又は外枠の形態を調整できる。次にＣＰＵ７は画像加工，合成装置４により、日付（日付スタンプ画像）を合成付加する。
【００９８】
−画像の縮小，集成，スタンプ付加および綴じ代の形成（図１５）−
上述の「３．集成」において、ＣＰＵ７は操作表示装置１１を介して指示される制御コマンドデータに従って、原稿画像データに対して変倍処理により５０％縮小処理行い、縮小した２つの画像を並べて貼付けることにより、台紙１ページに２画像を集約した画像データを生成する。次にＣＰＵ７は画像加工，合成装置４により、集約した画像データにスタンプ像を合成する。次にＣＰＵ７は原稿画像データに対して、トリミング又は画像移動を行うことにより、綴じ代を付加する。
【００９９】
−ページスタンプ付加，マスク，縮小および集成（図１６）−
上述の「３．集成」において、ＣＰＵ７は操作表示装置１１を介して指示される制御コマンドデータに従って、原稿画像データに対して、画像加工，合成装置４により、ページＮｏ．を合成付加する。次に加工処理でのマスク（マスキング）を行うことにより、画像データの絵柄部をマスクする。次に変倍処理により５０％縮小処理行い、縮小した２つの画像を並べて合成することにより、台紙１ページに２画像を集約した画像データを生成する。
【０１００】
−ページスタンプ付加，縮小，集成および綴じ代の形成（図１７）−
上述の「３．集成」において、ＣＰＵ７は操作表示装置１１を介して指示される制御コマンドデータに従って、原稿画像データに対して、画像加工，合成装置４により、ページＮｏ．を合成付加する。次に変倍処理により５０％縮小処理行い、縮小した２つの画像を並べて合成することにより、台紙１ページに２画像を集約した画像データを生成する。次にＣＰＵ７は集約画像データに対して加工処理での領域追加（トリミング，画像移動，縮小）を行うことにより、綴じ代を付加する。
【図面の簡単な説明】
【０１０１】
【図１】本発明の一実施例の画像合成装置を備える複合機能複写機ＭＦ１の構成を示すブロック図である。
【図２】図１に示す画像データ補正装置２の機能を示すブロック図である。
【図３】（ａ）は図１に示す画像加工，合成装置４の機能を示すブロック図、（ｂ）は図１に示す画像データ処理装置５の機能を示すブロック図である。
【図４】図１に示すＣＰＵ７の、複合処理機能の設定制御を示すフローチャートである。
【図５】図４に示す「編集」（２０）の中の制御内容の一部を示すフローチャートである。
【図６】図４に示す「編集」（２０）の中の制御内容の他部を示すフローチャートである。
【図７】図４に示す「編集」（２０）の中の制御内容の他部を示すフローチャートである。
【図８】図４に示す「編集」（２０）の中の制御内容の他部を示すフローチャートである。
【図９】図４に示す「編集」（２０）の中の制御内容の残部を示すフローチャートである。
【図１０】一形態の画像合成の過程と用いられる画像を示す平面図である。
【図１１】一形態の画像加工の過程と加工される画像を示す平面図である。
【図１２】もう一つの形態の画像合成の過程と用いられる画像を示す平面図である。
【図１３】もう一つの形態の画像合成の過程と用いられる画像を示す平面図である。
【図１４】もう一つの形態の画像加工の過程と加工される画像を示す平面図である。
【図１５】もう一つの形態の画像合成の過程と用いられる画像を示す平面図である。
【図１６】もう一つの形態の画像合成の過程と用いられる画像を示す平面図である。
【図１７】もう一つの形態の画像合成の過程と用いられる画像を示す平面図である。
【符号の説明】
【０１０２】
１４：サウスブリッジ
１８：ＳＤカード
【図１】
2008154134.tif 000003
【図２】
2008154134.tif 000004
【図３】
2008154134.tif 000005
【図４】
2008154134.tif 000006
【図５】
2008154134.tif 000007
【図６】
2008154134.tif 000008
【図７】
2008154134.tif 000009
【図８】
2008154134.tif 000010
【図９】
2008154134.tif 000011
【図１０】
2008154134.tif 000012
【図１１】
2008154134.tif 000013
【図１２】
2008154134.tif 000014
【図１３】
2008154134.tif 000015
【図１４】
2008154134.tif 000016
【図１５】
2008154134.tif 000017
【図１６】
2008154134.tif 000018
【図１７】
2008154134.tif 000019